(57)【要約】【課題】端末本体に対して通話装置を脱着自在として携帯性の利便性を図ると共に、これら端末本体と通話装置の電源を同期させてオン・オフさせる。【解決手段】外部端末と網を介して通信可能な端末本体１と、スピーカ１５とマイク１６を有し、端末本体１との間で無線により音声データを送受信して音声通話を可能とするヘッドセット２とを備えている。端末本体１には、ヘッドセット２の胴体部１４を嵌合させる胴体装着部８ａと、スピーカ１５を引っ掛けるスピーカ引掛部８ｂと、マイク１６を引っ掛けるマイク引掛部８ｃとが形成されている。マイク１６は、支持軸とバネによって胴体部１４に対して可動自在とされている。ヘッドセット２を端末本体１に装着するには、スピーカ１５をスピーカ引掛部８ｂに引っ掛けると共に胴体部１４を胴体装着部８ａに嵌合させ、マイク１６を可動させてマイク引掛部８ｃに引っ掛ける。【選択図】　図２
2004080344.tif 000002
【特許請求の範囲】
【請求項１】
外部端末と網を介して通信可能な端末本体と、
スピーカとマイクとを有し、前記端末本体との間で無線により音声データを送受信して通話を可能とする通話装置と、
前記通話装置を前記端末本体に対して脱着自在とする脱着機構とを備えた
ことを特徴とする携帯通信端末。
【請求項２】
請求項１記載の携帯通信端末であって、
前記脱着機構は、前記スピーカ及び前記マイクをそれぞれ引っ掛けて前記通話装置を前記端末本体に装着させる第１引掛部及び第２引掛部と、前記通話装置の胴体部を嵌合させる装着部と、前記マイクを前記胴体部に対して可動自在とし且つマイクを可動させて負荷を解除したときに元の状態に復帰する可動機構部とを備えた
ことを特徴とする携帯通信端末。
【請求項３】
請求項１記載の携帯通信端末であって、
前記端末本体は、前記通話装置に設けられた２次電池を充電する電源供給端子を有している
ことを特徴とする携帯通信端末。
【請求項４】
請求項３記載の携帯通信端末であって、
前記通話装置は、前記電源供給端子と接続する外部端子を有している
ことを特徴とする携帯通信端末。
【請求項５】
請求項１記載の携帯通信端末であって、
前記通話装置は、前記端末本体の電源がオンとなったときに同期して当該通話装置の電源をオンとする電源同期手段を有している
ことを特徴とする携帯通信端末。
【請求項６】
請求項５記載の携帯通信端末であって、
前記電源同期手段は、前記端末本体に設けられた電源回路の電圧を検出し、その検出した信号を前記通話装置に設けられた電源回路へ伝送する電圧検出回路を有している
ことを特徴とする携帯通信端末。
【請求項７】
請求項１記載の携帯通信端末であって、
前記通話装置は、各種操作ボタンを有し、前記端末本体に装着された状態又は端末本体から取り外された状態の何れの状態でも発信及び着信が行える
ことを特徴とする携帯通信端末。
【請求項８】
請求項７記載の携帯通信端末であって、
前記操作ボタンは、前記通話装置が前記端末本体に装着されたときと、前記通話装置が前記端末本体から取り外されたときで、各操作ボタンに割り当てられている機能が異なる
ことを特徴とする携帯通信端末。
【請求項９】
請求項１記載の携帯通信端末であって、
前記通話装置は、前記スピーカを外耳に装着して使用される
ことを特徴とする携帯通信端末。
【請求項１０】
請求項１記載の携帯通信端末であって、
前記通話装置は、所定のプラグ付きイヤホンを挿入させるイヤホンジャックを有している
ことを特徴とする携帯通信端末。
【請求項１１】
請求項１０記載の携帯通信端末であって、
前記通話装置は、音声データ又は音楽データを出力する音声処理回路と、前記イヤホンジャックに前記プラグ付きイヤホンが挿入されたか否かを検出するイヤホン検出回路と、前記プラグ付きイヤホンが前記イヤホンジャックに挿入されたか否かによって前記音声処理回路と前記スピーカ又は前記イヤホンジャックとの接続を切り替えるスイッチとを有した
ことを特徴とする携帯通信端末。
【請求項１２】
請求項１記載の携帯通信端末であって、
前記端末本体又は前記通話装置は、音楽データを再生するデコーダを有している
ことを特徴とする携帯通信端末。
【請求項１３】
外部端末と網を介して通信可能な端末本体との間で無線により通話を可能とする無線通信手段と、
ユーザが発した声を音声データに変換するマイクと、
音声データを可聴可能な音声として発音するスピーカと、
前記端末本体に対して脱着自在とする脱着手段を備えた
ことを特徴とする通話装置。
【請求項１４】
請求項１３記載の通話装置であって、
前記端末本体に装着されたときに当該端末本体から電源が供給されて充電される２次電池と、
前記端末本体に設けられた電源供給端子と接触して前記２次電池に充電を行うための外部端子とを有した
ことを特徴とする通話装置。
【請求項１５】
請求項１３記載の通話装置であって、
前記端末本体の電源がオンとなったときに同期して当該通話装置の電源をオンとする電源同期手段を有した
ことを特徴とする通話装置。
【請求項１６】
請求項１３記載の通話装置であって、
前記電源同期手段は、前記端末本体に設けられた電源回路の電圧を検出し、その検出した信号を通話装置に設けられた電源回路へ伝送する電圧検出回路を有している
ことを特徴とする通話装置。
【請求項１７】
請求項１３記載の通話装置であって、
発信用及び着信用の操作ボタンを有し、前記端末本体に装着された状態又は端末本体から取り外された状態の何れの状態でも発信及び着信が行える
ことを特徴とする通話装置。
【請求項１８】
請求項１３記載の通話装置であって、
所定のプラグ付きイヤホンを挿入させるイヤホンジャックを有している
ことを特徴とする通話装置。
【請求項１９】
請求項１８記載の通話装置であって、
音声データ又は音楽データを出力する音声処理回路と、前記イヤホンジャックに前記プラグ付きイヤホンが挿入されたか否かを検出するイヤホン検出回路と、前記プラグ付きイヤホンが前記イヤホンジャックに挿入されたか否かによって前記音声処理回路と前記スピーカ又は前記イヤホンジャックとの接続を切り替えるスイッチとを有した
ことを特徴とする通話装置。
【請求項２０】
請求項１３記載の通話装置であって、
音楽データを再生するデコーダを有している
ことを特徴とする通話装置。
【発明の詳細な説明】
【０００１】
【発明の属する技術分野】
本発明は、例えば携帯電話機などの携帯通信端末に関し、詳細にはヘッドセットなどの通話装置を端末本体に対して脱着自在とし、ヘッドセットを端末本体に装着した状態又は取り外した状態の何れの状態でも無線通信による通話が行える携帯通信端末及び通話装置に関する。
【０００２】
【従来の技術】
近年、携帯電話機は、いつでも何処でも手軽に通話ができるため広く普及している。通常、この種の携帯電話機は、使用者が手に保持して通話を行う、いわゆるハンドセット形のものが主流である。しかしながら、自動車の運転中やコンピュータを操作している最中に着信があった場合は、片手に携帯電話機を持って自動車やコンピュータを操作しなければならないため、運転やコンピュータ操作に支障を来す虞がある。
【０００３】
このため、従来は、携帯電話機に設けられたジャックにマイク付きヘッドフォンを接続して携帯電話機を手に持たずに通話を可能としたヘッドフォン（イヤフォンマイク）が提案されている。このヘッドフォンは、携帯電話機とケーブルで接続されるため、携帯電話機を胸ポケットなどに入れて使用する必要がある。しかしながら、携帯電話機からは電磁波が出ているため、なるべく人体より離した位置に携帯電話機を置きたい。
【０００４】
このような要求を満たすものとして、例えば携帯電話機との間で近距離無線通信によって音声通話を可能とするワイヤレスヘッドセットが提案されている。このワイヤレスヘッドセットは、音声信号を送受信する無線通信手段、マイク、スピーカなどを有しているため、携帯電話機を手に持たずに通話ができ非常に便利である。
【０００５】
【発明が解決しようとする課題】
ところが、ユーザは、携帯電話機とワイヤレスヘッドセットの２つを用意しなければならず、また常に両方を所持する必要があるため、利便性が悪い。さらに、これらを使用するには、それぞれ電源を入れなければならず、また使用しないときには、それぞれの電源を切らなければならず、手間がかかる。さらに、携帯電話機とワイヤレスヘッドセットを充電するための充電器がそれぞれ専用品として必要であるため、利便性が悪い。
【０００６】
そこで本発明は、このような課題に鑑みてなされたものであり、端末本体に対して通話装置を脱着自在として携帯性の利便性を図ると共に、これら端末本体と通話装置の電源を同期させてオン・オフさせることができ、且つ端末本体の電源より通話装置の電源を充電可能とした携帯通信端末及び通話装置を提供することを目的とする。
【０００７】
【課題を解決するための手段】
本発明の携帯通信端末は、外部端末と網を介して通信可能な端末本体と、スピーカとマイクとを有し、端末本体との間で無線により音声データを送受信して音声通話を可能とする通話装置と、通話装置を端末本体に対して脱着自在とする脱着機構とを有している。そして、この携帯通信端末では、通話装置が端末本体に装着された状態又は通話装置が端末本体から取り外された状態の何れの状態でも音声通話を可能とした。
【０００８】
本発明の携帯通信端末によれば、通話装置を端末本体に対して脱着自在としているため、イヤホンを携帯通信端末とは別に用意する必要はなく、利便性の向上が図れる。また、必要に応じて通話装置を端末本体から取り外して使用すれば、端末本体を手に持たずに通話をすることができる。
【０００９】
また、本発明の通話装置は、外部端末と網を介して通信可能な端末本体との間で無線により音声通話を可能とする無線通信手段と、ユーザが発した声を音声データに変換するマイクと、音声データを可聴可能な音声として発音するスピーカと、端末本体に対して脱着自在とする脱着手段とを備えている。
【００１０】
本発明の通話装置によれば、端末本体に対して通話装置を脱着自在としてあるので、通話をするときにはこの通話装置を端末本体に装着した状態としてもよいし、または、必要に応じて通話装置を端末本体から取り外した状態としてもよい。このようにすることで、ユーザは、例えば端末本体をカバンなどに入れておき、通話装置のみを使用して通話をすることができる。
【００１１】
尚、前記した網には、例えば電話回線網やＩＰ網などが含まれる。
【００１２】
【発明の実施の形態】
以下、本発明を適用した具体的な実施の形態について、図面を参照しながら詳細に説明する。本実施の形態は、携帯通信端末の一つである携帯電話機に、本発明を適用したものである。
【００１３】
［携帯電話機の構成］
本実施の形態の携帯電話機は、図１及び図２に示すように、端末本体１と、この端末本体１に対して近距離無線通信により通話を可能とする脱着自在な通話部（以下、ヘッドセットという）２とから構成され、このヘッドセット２を端末本体１に装着した状態及びヘッドセット２を端末本体１から取り外した状態の何れの状態でも通話を可能としたものである。
【００１４】
［端末本体の外観構成］
端末本体１は、図１及び図２に示すように、第１の筐体（上部筐体）３と、この第１の筐体３に対して折り重なるように二つ折りにされる第２の筐体（下部筐体）４とを有した、いわゆる折り畳み式の携帯電話機本体である。
【００１５】
第１の筐体３と第２の筐体４は、互いの一端側を連結部（ヒンジ部）５を介して互いに回動自在とされており、折り畳んだ状態と開いた状態で使用される。例えば、この折り畳み式の携帯電話機では、主に充電時や電話をかけない場合には折り畳んだ状態とし、電話をかけたりメールを送受信する場合には開いた状態として使用する。なお、この携帯電話機では、折り畳んだ状態でもヘッドセット２に設けられた発信ボタン及び着信ボタンを押すことで電話をかけたり電話に出ることができる。
【００１６】
第１の筐体３には、例えば伸張自在なホイップ式のアンテナ６が設けられている。また、第１の筐体３には、画像表示部である液晶表示装置（例えばＬＣＤユニットである表示部）７が設けられている。この液晶表示装置７は、折り畳んだときに第２の筐体４と対向する内面（表面）３ａ側に表示画面が配置されるよう設けられている。また、この第１の筐体３には、図３に示すように、ヘッドセット２を脱着自在に装着させるヘッドセット装着部８が設けられている。
【００１７】
ヘッドセット装着部８は、液晶表示装置７の表示画面が配置される内面３ａとは反対側における第１の筐体３の外面（背面）３ｂに形成されている。このヘッドセット装着部８は、前記ヘッドセット２を嵌合させて装着させる凹部として形成された胴体装着部８ａと、スピーカを引っ掛けるスピーカ引掛部（第１引掛部）８ｂと、マイクを引っ掛けるマイク引掛部８ｃ（第２引掛部）とを有している。
【００１８】
胴体装着部８ａは、ヘッドセット２の胴体部外形状に応じた凹みとして形成され、このヘッドセット２を前記胴体装着部８ａに装着させたときに、当該ヘッドセット２の外面を第１の筐体３の外面３ｂとほぼ面一とする。スピーカ引掛部８ｂは、胴体装着部８ａの一端側、すなわちアンテナ６が設けられた第１の筐体３の先端側にスピーカを引っ掛ける略半円弧状の切り欠きとして形成されている。マイク引掛部８ｃは、胴体装着部８ａの他端側、すなわちヒンジ部５が設けられた第１の筐体３の他端側にマイクを引っ掛ける略半円弧状の切り欠きとして形成されている。
【００１９】
また、第１の筐体３には、図３に示すように、ヘッドセット２に電源を供給するための電源供給端子９が設けられている。この電源供給端子９は、図４に示すように、第１の筐体３内に設けられた端子収納部１０内に配置されたバネ１１によって突出自在とされている。ヘッドセット２がヘッドセット装着部８から取り外されると、図３（ｂ）及び図４（ａ）に示すように、バネ１１によって電源供給端子９が第１の筐体３の外面３ｂより外側に突出する。ヘッドセット２がヘッドセット装着部８に装着されると、図４（ｂ）に示すように、ヘッドセット２によって電源供給端子９がバネ１１の付勢力に抗して端子収納部１０内に押し込まれ、その先端部が僅かに胴体装着部８ａの底面より外側に突出する。
【００２０】
一方、第２の筐体４には、電話番号入力や発信操作などの所定の操作を行うためのキーボタンや方向指示キーなどのキー入力部１２が設けられている。これらキー入力部１２は、折り畳んだときに第１の筐体３の液晶表示装置７の表示画面と対向する内面（表面）４ａに設けられている。キー入力部１２のキーとしては、例えば０〜９の数字、＊，＃の記号、発信又は受信（着信）操作を行うキーや、短縮登録などの各種機能を設定するキーがある。
【００２１】
また、第２の筐体４には、２次電池などのバッテリー（電源）を出し入れするための電池蓋１３が取り付けられている。この電池蓋１３は、第２の筐体４の外面（背面）４ｂに取り外し可能に設けられている。
【００２２】
［ヘッドセットの外観構成］
ヘッドセット２は、図２、図５及び図６に示すように、胴体部１４と、この胴体部１４の一端に設けられたスピーカ１５と、胴体部１４の他端に設けられたマイク１６とから構成されている。
【００２３】
ヘッドセット２は、スピーカ１５を外耳に装着させたときにマイク１６が口元の位置に配置されるような形態に胴体部１４が形成されている。そして、この胴体部１４には、時刻表示や着信表示などの各種情報を表示するための表示手段である表示部１７が設けられている。表示部１７は、ヘッドセット２が第１の筐体３に装着されたときにユーザが見えるように外表面側に設けられている。この表示部１７は、例えば液晶パネルなどの液晶表示装置から構成されている。
【００２４】
また、この胴体部１４には、表示部１７の前方に複数個の操作ボタン１８ａ，１８ｂ，１８ｂが設けられている。例えば、これら操作ボタン１８ａ，１８ｂ，１８ｂに割り当てられている機能としては、スピーカ１５から表示部１７に向かって近い方から発信又は着信として機能する発着信ボタン、通話音量を増加させる音量増加ボタン、同じく通話音量を減少させる音量減少ボタンなどである。
【００２５】
これら操作ボタン１８ａ，１８ｂ，１８ｂは、ヘッドセット２が端末本体１に装着されているときと取り外されているときでは、そのボタンに割り当てられている機能が異なるように設定されている。例えば、ヘッドセット２が端末本体１から取り外されている場合には、ヘッドセット２が端末本体１に装着されていたときに音量増加ボタンと音量減少ボタンとして機能していた操作ボタン１８ｂ，１８ｃは、ヘッドセット２に設けられたメモリーに記憶されている電話帳などから所定の電話番号を探し出すためのメモリー検索ボタンなどして機能する。
【００２６】
また、胴体部１４には、端末本体１から電源供給を受ける外部端子１９が設けられている。この外部端子１９は、ヘッドセット２が端末本体１に装着されたときに、この端末本体１に設けられた電源供給端子９と接触して当該端末本体１から電源をヘッドセット２へ供給する役目をする。外部端子１９は、表示部１７とは反対側の内面側に設けられている。
【００２７】
スピーカ１５は、外耳に装着することのできる大きさとされ、前記胴体部１４の一端に設けられている。このスピーカ１５は、ヘッドセット２が端末本体１に装着されたときに、切り欠きとして形成されたスピーカ引掛部８ｂに嵌り込んで装着される。
【００２８】
マイク１６は、胴体部１４の他端に設けられている。このマイク１６は、胴体部１４に対して支持軸２０及びバネ２１を介して取り付けられており、当該支持軸２０と略直交する方向（図５中矢印Ｘ方向）に回動自在とされている。通常、マイク１６は、図５の実線で示す状態にあり、指先で引っ張ると図５の一点鎖線で示す状態に可動し、指を離すとバネ２１によって元の状態に復帰する。このマイク１６は、ヘッドセット２が端末本体１に装着されたときに、切り欠きとして形成されたマイク引掛部８ｃに嵌り込んで装着される。
【００２９】
［ヘッドセットの脱着操作］
ヘッドセット２を端末本体１から取り外すには、マイク１６を指先に引っ掛けるなどして手前（第２の筐体４側）に引き起こす。すると、マイク１６は、バネ２１の抗力に反して支持軸２０とほぼ直交する方向に回動して前記マイク引掛部８ｃから外れる。そして、端末本体１の背面側からマイク１６を指で摘んで上に引っ張れば胴体部１４が胴体装着部８ａから外れ且つスピーカ１５もスピーカ引掛部８ｂから外れる。この結果、ヘッドセット２を端末本体１から取り外すことができる。ヘッドセット２が端末本体１から取り外されると、電源供給端子９がバネ１１によって押し上げられる。
【００３０】
ヘッドセット２を端末本体１に装着するには、スピーカ１５をスピーカ引掛部８ｂに嵌め込むと共に胴体部１４も同じく胴体装着部８ａに嵌め込む。このとき、電源供給端子９は、胴体部１４によって胴体装着部８ａの外表面とほぼ同一面まで押し込まれて行く。そして、マイク１６を指先に引っ掛けるなどして手前（第１の筐体３側）に引き起こしながら当該マイク１６をマイク引掛部８ｃに嵌め込む。その結果、マイク１６はバネ２１の復元力によって元の状態に戻るため、ヘッドセット２は、端末本体１に装着されることになる。
【００３１】
［端末本体の機能構成］
次に、端末本体１の機能構成について説明する。端末本体１は、図７に示すように、音声データや表示データなどのデータを伝送する伝送ラインとなるデータライン２２と、制御データなどを伝送する制御ライン２３とを有し、これらデータライン２２及び／又は制御ライン２３に接続されるＣＰＵ２４、ＲＡＭ２５、ＲＯＭ２６、無線通信インターフェース２７、表示部（液晶表示装置）７、キー入力部１２、近距離無線通信インターフェース２８とを備えている。
【００３２】
無線通信インターフェース２７は、相手先などの第三者の電話機からアンテナ６を介して送られてきた高周波データを復調、復号化して音声のデジタルデータに変換し、また、音声のデジタルデータを符号化し、変調して高周波データに変換した後、アンテナ６に送信する。
【００３３】
近距離無線通信インターフェース２８は、端末本体１とヘッドセット２との間で近距離無線通信を行うための無線通信インターフェースである。この近距離無線通信インターフェース２８は、音声のデジタルデータを符号化、変調して高周波データに変換した後、近距離無線通信用アンテナ２９へ送信し、また、ヘッドセット２からこの近距離無線通信用アンテナ２９を介して送られてきた高周波データを復調、復号化して音声のデジタルデータに変換する。なお、この近距離無線通信インターフェース２８は、ＣＰＵ２４の制御によって対応する近距離無線通信方式に従って処理される。
【００３４】
ＲＡＭ２５は、電話帳データやメールデータなどの各種データを記憶する読み出し書き込み可能なメモリである。ＲＯＭ２６は、ＣＰＵ２４を動作させるためのプログラムコードなどの各種プログラムや端末のＩＤなど重要なデータを記憶する読み出しのみ可能なメモリである。
【００３５】
表示部７は、プログラムに基づいて動作するＣＰＵ２４によって電話帳のデータを表示したり、メールの内容を表示したりする。キー入力部１２は、ＣＰＵ２４を動作させる指示を与える操作部である。ＣＰＵ２４は、ＲＯＭ２６に記憶されたプログラムに基づいて端末本体１全体を制御する中央処理装置である。
【００３６】
［ヘッドセットの機能構成］
次に、ヘッドセット２の機能構成について説明する。ヘッドセット２は、図８に示すように、音声データや表示データなどのデータを伝送する伝送ラインとなるデータライン３０と、制御データなどを伝送する制御ライン３１とを有し、これらデータライン３０及び／又は制御ライン３１に接続されるＣＰＵ３２、ＲＡＭ３３、ＲＯＭ３４、近距離無線通信インターフェース３５、近距離無線通信用アンテナ３６とを備えている。
【００３７】
近距離無線通信インターフェース３５は、端末本体１とヘッドセット２との間で近距離無線通信を行うための無線通信インターフェースである。この近距離無線通信インターフェース３５は、音声のデジタルデータを符号化、変調して高周波データに変換した後、近距離無線通信用アンテナ３６へ送信し、また、端末本体１からこの近距離無線通信アンテナ３６を介して送られてきた高周波データを復調、復号化して音声のデジタルデータに変換する。なお、この近距離無線通信インターフェース３５は、ＣＰＵ３２の制御によって対応する近距離無線通信方式に従って処理される。
【００３８】
近距離無線通信用アンテナ３６は、ヘッドセット２と端末本体１との間でデータを送受信するのに使用されるアンテナである。すなわち、この近距離無線通信用アンテナ３６は、端末本体１に設けられた前記近距離無線通信用アンテナ２９との間でデータの送受信を行う。
【００３９】
ＲＡＭ３３は、端末本体１のＲＡＭ２５と同じく、電話帳データなどの各種データを記憶する読み出し書き込み可能なメモリである。ＲＯＭ３４も同じく、ＣＰＵ３２を動作させるためのプログラムコードなどの各種プログラムや端末のＩＤなど重要なデータを記憶する読み出しのみ可能なメモリである。マイク１６は、データライン３０に接続されており、音声信号を電気信号に変換する。スピーカ１５もデータライン３０に接続されており、電気信号を可聴可能な音声に変換する。
【００４０】
表示部１７は、プログラムに基づいて動作するＣＰＵ３２によって電話帳のデータを表示したり、メールの内容を表示したりする。キー入力部１８ａ，１８ｂ，１８ｃは、ＣＰＵ３２を動作させる指示を与える操作部である。ＣＰＵ３２は、ＲＯＭ３４に記憶されたプログラムに基づいてヘッドセット２全体を制御する中央処理装置である。
【００４１】
［電源回路の構成］
次に、上記した携帯電話機の電源回路の構成について説明する。図９は、端末本体１からヘッドセット２への充電と、端末本体１とヘッドセット２の電源のオン・オフの同期について表したブロック図である。
【００４２】
端末本体１には、電源回路３７が設けられている。この電源回路３７は、図示しない電池（バッテリー）から供給される電圧を所定の電圧に変換し、各デバイスに供給するための回路である。この電源回路３７には、前記した電源供給端子９が接続されている。
ヘッドセット２には、電圧検出回路３８が設けられている。電圧検出回路３８は、端末本体１内に設けられた電源回路３７から電源供給端子９を介して外部端子１９に供給されている所定の電圧値を読み取る回路である。また、ヘッドセット２には、２次電池３９と電源回路４０が設けられている。２次電池３９は、外部端子１９に供給されている所定の電圧により充電され、電源回路４０へ電圧を供給するための電池である。電源回路４０は、２次電池３９から供給される電圧を所定の電圧に変換し、各デバイスに供給するための回路である。
【００４３】
＜充電及び電源オン・オフ動作＞
ヘッドセット２の充電は、端末本体１にヘッドセット２が装着されることで行われる。すなわち、ヘッドセット２を端末本体１に装着すると、外部端子１９が電源供給端子９と接して端末本体１内の電源回路３７の電圧が２次電池３９に供給される。これにより、ヘッドセット２の２次電池容量が少なくなってきたときには、当該ヘッドセット２を端末本体１に装着させることで自然に充電を行うことができる。
【００４４】
また、端末本体１とヘッドセット２は、お互いの電源が同期してオン・オフするようになっている。先ず、電源のオン動作について説明する。端末本体１に設けられたキー入力部１２は、ユーザによって電源キーが押下されたことを検知すると、検出したデータを電源回路３７へ伝送する。電源回路３７は、送られてきたデータにより各デバイスへ電圧を供給する。
【００４５】
そして、ヘッドセット２に設けられた電圧検出回路３８は、端末本体１内の電源回路３７の電圧を検出し、その検出したデータをヘッドセット２内の電源回路４０へ伝送する。この電源回路４０は、送られてきたデータにより各デバイスへ電源を供給する。このようにして、ヘッドセット２の電源は、端末本体１の電源がオンとなると、これに同期してオンとなる。
【００４６】
次に、電源のオフ動作について説明する。端末本体１に設けられたキー入力部１２は、ユーザによって電源キーが押下されたことを検出すると、検出したデータをＣＰＵ２４へ伝送する。ＣＰＵ２４は、送られてきたキー操作のデータに基づいて電源オフを特定し、近距離無線通信インターフェース２８にデータを伝送する。そして、この近距離無線通信インターフェース２８は、送られてきたデータを変調して高周波信号に変換した後、近距離無線通信用アンテナ２９へ送る。近距離無線通信用アンテナ２９は、この高周波信号を電波として放射する。
【００４７】
そして、ヘッドセット２の近距離無線通信用アンテナ３６は、この高周波信号を電波として受信し、近距離無線通信インターフェース３５へ送る。近距離無線通信インターフェース３５は、ＣＰＵ３２の制御に基づいて高周波信号を復調する。ＣＰＵ３２は、復調されたデータを解釈し、電源回路４０にデータを伝送する。電源回路４０は、送られてきたデータにより、各デバイスへの電源供給を停止する。このようにして、ヘッドセット２の電源は、端末本体１の電源オフと同期する。
【００４８】
［呼び出し、受信及び通話動作］
次に、本実施の形態の携帯電話機での呼び出し（発呼）動作、受信（着呼）動作及び通話動作について説明する。
【００４９】
＜呼び出し動作＞
呼び出し動作は次の通りである。先ず、キー入力部１２は、ユーザによってキーが押下されたことを検出し、その検出したデータをＣＰＵ２４へ伝送する。ＣＰＵ２４は、送られてきたキー操作データに基づいて電話番号を特定し、表示部７にその電話番号を表示する。そして、キー入力部１２は、発信キー（通話キー）が押下されたことを検出して、ＣＰＵ２４へそのデータを伝送する。
【００５０】
また、ＣＰＵ２４は、発信キーの押下に関するデータを受け取ると、無線通信インターフェース２７を制御して該当する電話番号へ発信を行う。発呼先が電話に応答すると、音声通信回線が接続され通話状態となる。なお、電話をかけるには、所定のキーを操作してＲＡＭ２５に記憶されている電話帳から発呼先を読み出しても良い。
【００５１】
＜受信動作＞
受信動作は次の通りである。先ず、アンテナ６は、呼び出し信号の高周波データ（電波）を受信し、その高周波データを無線通信インターフェース２７へ送る。無線通信インターフェース２７は、この呼び出し信号を復調する。そして、ＣＰＵ２４は、復調された呼び出し信号の呼び出し先が自局かどうかを判断する。自局への呼び出しであった場合には、図示しない着信を通知するスピーカを制御して着信音を鳴動させる。もちろん、着信動作は、バイブレータを動作させたり、ＬＥＤ（発光ダイオード）を発光させたりしてユーザに着信を通知してもよい。
【００５２】
そして、キー入力部１２は、ユーザが着信に気づいて着信キーが押下されたことを検出し、そのデータをＣＰＵ２４へ伝送する。ＣＰＵ２４は、着信キーの押下に関するデータを受け取ると、無線通信インターフェース２７を制御して音声通信回線を接続する。これにより、通話状態となる。
【００５３】
＜通話動作＞
通話動作は次の通りである。音声通信回線が確立してユーザが通話を開始すると、マイク１６は、ユーザが発した声を電気的な音声データに変換する。変換された音声データは、図示しないＡＤ変換回路を経てデジタル化され、近距離無線通信インターフェース３５に送られる。近距離無線通信インターフェース３５は、ＣＰＵ３２の制御に基づいて音声データを符号化及び変調して高周波信号に変換した後、この高周波の音声データを近距離無線通信用アンテナ３６へ送る。近距離無線通信用アンテナ３６は、この高周波の音声データを電波として放射する。
【００５４】
そして、端末本体１に設けられた近距離無線通信用アンテナ２９は、この高周波の音声データを電波として受信し、近距離無線通信インターフェース２８へ送る。近距離無線通信インターフェース２８は、ＣＰＵ２４の制御に基づいて音声データを復調、復号化し、無線通信インターフェース２７へ送る。無線通信インターフェース２７は、ＣＰＵ２４の制御に基づいて音声データを符号化及び変調して、高周波信号に変換した後、この高周波の音声データをアンテナ６へ送る。アンテナ６は、この高周波の音声データを電波として放射する。
【００５５】
一方、アンテナ６は、相手先から高周波の音声データを電波として受信し、無線通信インターフェース２７へ送る。無線通信インターフェース２７は、ＣＰＵ２４の制御に基づいて音声データを復調、復号化し、近距離無線通信インターフェース２８へ送る。近距離無線通信インターフェース２８は、ＣＰＵ２４の制御に基づいて音声データを符号化及び変調して、高周波信号に変換した後、この高周波の音声データを近距離無線通信用アンテナ２９へ送る。近距離無線通信用アンテナ２９は、この高周波の音声データを電波として放射する。
【００５６】
そして、ヘッドセット２に設けられた近距離無線通信用アンテナ３６は、この高周波の音声データを電波として受信し、近距離無線通信インターフェース３５へ送る。近距離無線通信インターフェース３５は、ＣＰＵ３２の制御に基づいて音声データを復調、復号化し、図示しないＤＡ変換回路を経てアナログ化される。そして、スピーカ１５は、そのアナログ化された音声データを音声としてユーザに可聴可能に発音する。
【００５７】
このようにして、自分の声を相手先に送ることができると共に、相手先からの声も聞くことが出来る。本実施の形態の携帯電話機では、ヘッドセット２を端末本体１に装着した状態はもちろんのこと、ヘッドセット２を端末本体１から取り外してスピーカ１５を外耳に装着した状態であっても、前記した呼び出し動作、受信動作及び通話動作の何れも行うことができる。
【００５８】
ヘッドセット２が端末本体１に装着された状態で呼び出し動作又は着信動作をするには、通常の携帯電話機のように、第２の筐体４に設けられた通話キーを押す。ヘッドセット２が端末本体１から取り外されている状態で呼び出し動作又は着信動作をするには、ヘッドセット２に設けられた発信ボタン又は着信ボタンとして機能する操作ボタン１８ａを押す。
【００５９】
［実施の形態の効果］
このように構成された本実施の形態の携帯電話機は、ヘッドセット２を端末本体１に装着した状態はもちろんのこと、ヘッドセット２を端末本体１から取り外して外耳に装着した状態でも通話をすることができ、端末本体１を手に持つ必要がなく手軽にヘッドセット２のみで通話が楽しめる。例えば、端末本体１をかばんの中に入れて置いて、ヘッドセット２を外耳に装着して電話をするといったこともできる。
【００６０】
また、本実施の形態の携帯電話機は、ヘッドセット２を端末本体１に対して脱着自在な構成としたことから、ヘッドセット２を端末本体１とは別に用意して持ち運ぶ必要はなく便利である。また、ヘッドセット２で通話している最中であっても、端末本体１はヘッドセット２から独立しているため、この端末本体１のキー入力部１２を操作することで通話機能以外の機能を同時に実行することができる。例えば、ヘッドセット２で通話をしながら、端末本体１のメモリに記憶された電話帳を検索するといったことができる。
【００６１】
また、本実施の形態の携帯電話機は、ヘッドセット２を端末本体１に装着することによって、当該ヘッドセット２を充電することができるため、ヘッドセット専用の充電器を用意する必要がない。このため、端末本体１とヘッドセット２を充電する専用の充電器を２つ持ち歩く必要はなく、端末本体１の充電器のみを持ち歩くだけで済む。
【００６２】
また、本実施の形態の携帯電話機は、端末本体１とヘッドセット２の電源のオン・オフが同期するため、端末本体１の電源をオンしたときにヘッドセット２の電源もオンとなり、当該ヘッドセット２の電源を入れ忘れることが無く、また、端末本体１の電源をオフしたときにヘッドセット２の電源もオフとなり、当該ヘッドセット２の電源を切り忘れることが無い。
【００６３】
［その他の実施の形態］
この実施の形態の携帯電話機は、ヘッドセット２にイヤホンジャックを設けた例である。イヤホンジャック４１は、図１０及び図１１に示すように、胴体部１４のスピーカ１５寄りの位置に形成されている。そして、このイヤホンジャック４１には、所定のプラグ付きイヤホンが挿入される。
【００６４】
図１２は、イヤホンジャック４１に所定のプラグ付きイヤホンが挿入されたときのヘッドセット２の内部機能を表したブロック図である。音声処理回路４２は、音声データや音楽データなどを出力する回路である。この音声処理回路４２には、当該音声処理回路４２から出力された音声データや音楽データなどをスピーカ１５又はイヤホンジャック４１へ転送するためのスイッチ４３が接続されている。イヤホン検出回路４４は、イヤホンジャック４１に所定のプラグ付きイヤホンが挿入されたことを検出する回路である。
【００６５】
＜動作説明＞
所定のプラグ付きイヤホンがユーザによりイヤホンジャック４１に挿入されると、イヤホン検出回路４４は、イヤホンが挿入されたことを検出し、その検出信号（検出データ）をＣＰＵ３２へ伝送する。ＣＰＵ３２は、この検出データに基づいてスイッチ４３をイヤホンジャック４１側へ動作させる。
【００６６】
すると、音声処理回路４２から出力された音声データや音楽データなどは、スピーカ１５に出力されず、イヤホンジャック４１を通じて別途用意したイヤホンへ出力される。このイヤホンは、音声データや音楽データを可聴可能な音声信号に変換し出力する。
【００６７】
例えば、端末本体１又はヘッドセット２にデコーダが内蔵されていれば、イヤホンジャック４１に別途用意したイヤホンプラグを差し込むことによって、携帯電話機で音楽を楽しむことができる。このとき、端末本体１又はヘッドセット２のメモリーに音楽データを記憶して置けば、いつでも何処でも手軽に音楽を聴くことができる。また、ステレオのイヤホンをイヤホンジャック４１に挿入すれば、ユーザはステレオで音楽を楽しむことができる。
【００６８】
一方、プラグ付きイヤホンがユーザによってイヤホンジャック４１から抜き出されると、イヤホン検出回路４４は、イヤホンが抜き出されたことを検出し、その検出信号をＣＰＵ３２へ伝送する。ＣＰＵ３２は、この検出信号に基づいてスイッチ４３をスピーカ１５側へ動作させる。
【００６９】
すると、音声処理回路４２から出力された音声データや音楽データなどは、イヤホンジャック４１には出力されず、スピーカ１５へ出力されることになる。スピーカ１５は、音声データや音楽データを可聴可能な音声信号に変換し出力する。例えば、ヘッドセット２を外耳に装着する一方で端末本体１をカバンなどに入れて置き、このヘッドセット２で音楽を聴くことができる。
【００７０】
以上、本発明を適用した具体的な実施の形態について説明したが、本発明は上述の実施形態に制限されることなく種々の変更が可能である。
【００７１】
例えば、上述の実施の形態では、折り畳み式携帯電話機を例に挙げて説明したが、折り畳み式ではないストレートタイプの携帯電話機に本発明を適用してもよいし、或いは音声通信機能を持つＰＤＡ（Ｐｅｒｓｏｎａｌ　Ｄｉｇｉｔａｌ　Ａｓｓｉｓｔａｎｔ）などの携帯通信端末に本発明を適用しても同様の作用効果がある。
【００７２】
【発明の効果】
本発明によれば、端末本体にヘッドセットを脱着自在に取り付けたので、ヘッドセットを端末本体に装着した状態又はヘッドセットを端末本体から取り外した状態の何れの状態でも近距離無線通信によって音声通話を行うことができる。
【００７３】
また、本発明によれば、ヘッドセットを端末本体に装着させることで、当該端末装置の電源を利用してヘッドセットを充電することができるため、ヘッドセット専用の充電器を用意する必要もなく、またその充電器を持ち運ぶ必要もない。
【００７４】
また、本発明によれば、端末本体とヘッドセットの電源を同期させてオン・オフさせるため、何れか一方の電源を入れ忘れたり切り忘れたりすることを防止できる。
【図面の簡単な説明】
【図１】端末本体にヘッドセットが装着された携帯電話機を表面側から見た状態の平面図である。
【図２】図２（ａ）は端末本体にヘッドセットが装着された携帯電話機を背面側から見た状態の背面図であり、図２（ｂ）は図２（ａ）のＡ−Ａ線断面図である。
【図３】図３（ａ）は端末本体からヘッドセットを取り外した状態の携帯電話機を背面側から見た状態の背面図であり、図３（ｂ）は図３（ａ）のＢ−Ｂ線断面図である。
【図４】電源供給端子の要部拡大断面図であり、図４（ａ）はヘッドセットが端末本体から取り外されたときの電源供給端子の突出状態であり、図４（ｂ）はヘッドセットが端末本体に装着されたときの電源供給端子の突出状態である。
【図５】ヘッドセットの断面図である。
【図６】ヘッドセットをスピーカ装着面側より見た状態の正面図である。
【図７】端末本体の内部機能ブロック図である。
【図８】ヘッドセットの内部機能ブロック図である。
【図９】端末本体からヘッドセットへの充電と、端末本体とヘッドセットの電源のオン・オフの同期について表したブロック図である。
【図１０】図１０（ａ）はヘッドセットにイヤホンジャックを設けた携帯電話機を背面側から見た状態の背面図であり、図１０（ｂ）は図１０（ａ）のＣ−Ｃ線断面図である。
【図１１】イヤホンジャックを設けたヘッドセットの断面図である。
【図１２】イヤホンジャックに所定のプラグ付きイヤホンが挿入されたときのヘッドセットの内部機能を表したブロック図である。
【符号の説明】
１…端末本体、２…ヘッドセット、６…アンテナ、８…ヘッドセット装着部、９…電源供給端子、１４…胴体部、１５…スピーカ、１６…マイク、１９…外部端子、２０…支持軸、２１…バネ、２８，３５…近距離無線通信インターフェース、２９，３６…近距離無線通信用アンテナ、３８…電圧検出回路、３９…２次電池、４１…イヤホンジャック、４２…音声処理回路、４４…イヤホン検出回路
【図１】
2004080344.tif 000003
【図２】
2004080344.tif 000004
【図３】
2004080344.tif 000005
【図４】
2004080344.tif 000006
【図５】
2004080344.tif 000007
【図６】
2004080344.tif 000008
【図７】
2004080344.tif 000009
【図８】
2004080344.tif 000010
【図９】
2004080344.tif 000011
【図１０】
2004080344.tif 000012
【図１１】
2004080344.tif 000013
【図１２】
2004080344.tif 000014